【手続補正書】
【提出日】平成23年12月8日(2011.12.8)
【手続補正１】
【補正対象書類名】明細書
【補正対象項目名】発明の名称
【補正方法】変更
【補正の内容】
【発明の名称】電波受信機器
【手続補正２】
【補正対象書類名】明細書
【補正対象項目名】０００１
【補正方法】変更
【補正の内容】
【０００１】
本発明は、電波受信機器に関するものである。
【手続補正３】
【補正対象書類名】明細書
【補正対象項目名】０００７
【補正方法】変更
【補正の内容】
【０００７】
そこで、本発明は以上のような事情に鑑みてなされたものであり、簡易な手法により、受信感度がよく、かつ小型化と薄型化とを実現することのできる電波受信機器を提供することを目的とするものである。
【手続補正４】
【補正対象書類名】明細書
【補正対象項目名】０００８
【補正方法】変更
【補正の内容】
【０００８】
前記課題を解決するために、請求項１に記載の発明に係る電波受信機器は、
一端側開口部が透明部材で閉塞され、他端側開口部が導電製の閉塞部材で閉塞された導電製の本体ケース内に、回路基板、この回路基板と平行に配置された文字板、この文字板と前記回路基板との間に配置された板状のモジュール部材、このモジュール部材の外周面と前記本体ケースの内周面との間に配置されているアンテナ構造体、および、集磁部材を配置している電波受信機器において、
前記アンテナ構造体は、
前記回路基板、前記板状のモジュール部材及び前記文字板の積層方向と直交する方向に積層された複数の板状部材からなり、中央部が直線状になっており、かつ、両端部が前記モジュール部材の外周面に沿う形状に曲折されているコアと、
このコアのうち、直線状の中央部に巻回されたコイルとを備え、前記コアの両端部が前記モジュール部材の外周面に沿って配置されており、
前記集磁部材は、前記コアの両端部のうち、少なくとも一方の端部と磁気的に結合されていることを特徴としている。
【手続補正５】
【補正対象書類名】明細書
【補正対象項目名】０００９
【補正方法】変更
【補正の内容】
【０００９】
また、請求項２に記載の発明に係る電波受信機器は、請求項１に記載の電波受信機器において、前記板状のモジュール部材は、非金属材料で形成され、外周面の一部に、前記アンテナ構造体を装着しているアンテナ装着部が設けられ、かつ、内部に複数の電子部品を保持するための電子部品保持部が設けられていることを特徴としている。
【手続補正６】
【補正対象書類名】明細書
【補正対象項目名】００１０
【補正方法】変更
【補正の内容】
【００１０】
また、請求項３に記載の発明に係る電波受信機器は、請求項２に記載の電波受信機器において、前記アンテナ装着部は、前記モジュール部材の外周面に沿って形成された切欠部を備えており、前記コアの両端部は、前記切欠部に沿って折り曲げられ、前記切欠部に接着固定されていることを特徴としている。
【手続補正７】
【補正対象書類名】明細書
【補正対象項目名】００１１
【補正方法】変更
【補正の内容】
【００１１】
また、請求項４に記載の発明に係る電波受信機器は、請求項２に記載の電波受信機器において、前記アンテナ装着部は、前記モジュール部材の外周面に沿う凹部形状の溝部を備え、前記コアの両端部はこの溝部内に配置されていることを特徴としている。
【手続補正８】
【補正対象書類名】明細書
【補正対象項目名】００１２
【補正方法】変更
【補正の内容】
【００１２】
また、請求項５に記載の発明に係る電波受信機器は、請求項１から請求項４のいずれか一項に記載の電波受信機器において、前記コアの両端部は、前記板状のモジュール部材の前記横断方向と直交する方向に張り出した張出部を備えていることを特徴としている。
【手続補正９】
【補正対象書類名】明細書
【補正対象項目名】００１３
【補正方法】変更
【補正の内容】
【００１３】
また、請求項６に記載の発明に係る電波受信機器は、請求項１から請求項５のいずれか一項に記載の電波受信機器において、前記集磁部材は、前記板状のモジュール部材の横断方向と直交する方向に重畳して配置された複数の集磁部材用板状部材から形成されていることを特徴としている。
【手続補正１０】
【補正対象書類名】明細書
【補正対象項目名】００１４
【補正方法】変更
【補正の内容】
【００１４】
また、請求項７に記載の発明に係る電波受信機器は、請求項５に記載の電波受信機器において、前記張出部は、凹部形状の嵌合受け部を備え、前記集磁部材の一部は、前記嵌合受け部と嵌合していることを特徴としている。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
この発明によれば、アンテナ構造体がモジュール部材の外周面と本体ケースの内周面との間に配置されていること、このアンテナ構造体が回路基板、板状のモジュール部材及び文字板の積層方向と直交する方向に積層された複数の板状部材からなり、中央部が直線状になっており、かつ、両端部がモジュール部材の外周面に沿う形状に曲折されているコアと、このコアのうち、直線状の中央部に巻回されたコイルとを備えていること、および、コアの両端部がモジュール部材の外周面に沿って配置されていることから、従来のモジュール部材の上面にアンテナ構造体を配置しているために、当該アンテナ構造体の厚さの分、透明部材と閉塞部材との間の寸法が大きくなり、電波受信機器全体の上下方向の厚みが増している構成の場合と異なり、モジュール部材の外周面と導電製の本体ケースの内周面との間に、アンテナ構造体を配置しているために、透明部材と閉塞部材との間の寸法を小さくすることができ、このために電波受信機器全体の上下方向の厚みを薄い構成とすることができる。この結果、電波受信機器全体の大幅な小型化および薄型化を実現することができるとの効果を奏する。
そればかりでなく、このアンテナ構造体のコアのうち、コイルの両端から突出した両端部のうちの少なくとも一方の端部と集磁部材とを互いに磁気的に結合させているため、コアの長さを実質的に延長することができ、その表面積を広く確保することができる。これにより、アンテナ構造体のコア自体を大きくしなくても、効率よく外部からの磁束を集めることが可能となり、受信感度の良好な電波受信機器を提供することができる。
【手続補正１５】
【補正対象書類名】特許請求の範囲
【補正対象項目名】全文
【補正方法】変更
【補正の内容】
【特許請求の範囲】
【請求項１】
一端側開口部が透明部材で閉塞され、他端側開口部が導電製の閉塞部材で閉塞された導電製の本体ケース内に、回路基板、この回路基板と平行に配置された文字板、この文字板と前記回路基板との間に配置された板状のモジュール部材、このモジュール部材の外周面と前記本体ケースの内周面との間に配置されているアンテナ構造体、および、集磁部材を配置している電波受信機器において、
前記アンテナ構造体は、
前記回路基板、前記板状のモジュール部材及び前記文字板の積層方向と直交する方向に積層された複数の板状部材からなり、中央部が直線状になっており、かつ、両端部が前記モジュール部材の外周面に沿う形状に曲折されているコアと、
このコアのうち、直線状の中央部に巻回されたコイルとを備え、前記コアの両端部が前記モジュール部材の外周面に沿って配置されており、
前記集磁部材は、前記コアの両端部のうち、少なくとも一方の端部と磁気的に結合されていることを特徴とする電波受信機器。
【請求項２】
前記板状のモジュール部材は、非金属材料で形成され、外周面の一部に、前記アンテナ構造体を装着しているアンテナ装着部が設けられ、かつ、内部に複数の電子部品を保持するための電子部品保持部が設けられていることを特徴とする請求項１に記載の電波受信機器。
【請求項３】
前記アンテナ装着部は、前記モジュール部材の外周面に沿って形成された切欠部を備えており、
前記コアの両端部は、前記切欠部に沿って折り曲げられ、前記切欠部に接着固定されていることを特徴とする請求項２に記載の電波受信機器。
【請求項４】
前記アンテナ装着部は、前記モジュール部材の外周面に沿う凹部形状の溝部を備え、
前記コアの両端部はこの溝部内に配置されていることを特徴とする請求項２に記載の電波受信機器。
【請求項５】
前記コアの両端部は、前記板状のモジュール部材の前記横断方向と直交する方向に張り出した張出部を備えていることを特徴とする請求項１から請求項４のいずれか一項に記載の電波受信機器。
【請求項６】
前記集磁部材は、前記板状のモジュール部材の横断方向と直交する方向に重畳して配置された複数の集磁部材用板状部材から形成されていることを特徴とする請求項１から請求項５のいずれか一項に記載の電波受信機器。
【請求項７】
前記張出部は、凹部形状の嵌合受け部を備え、
前記集磁部材の一部は、前記嵌合受け部と嵌合していることを特徴とする請求項５に記載の電波受信機器。